(57)【要約】【課題】文字入力の操作性を向上できる携帯端末装置を提供する。【解決手段】「か」、「き」、「く」、「け」、「こ」から成る文字グループを「か  ２」の文字キー８に割り当て、該文字キー８の操作によって変換待ちの状態で「か」を表示して主十字キー６により可能な操作の案内を表示部２に表示する。主十字キー６が操作されると、主十字キー６の各領域６Ｕ、６Ｒ、６Ｄ、６Ｌ、６Ｃに応じて「き」、「く」、「け」、「こ」、「か」の文字に変換できるようにした。【選択図】      図７
2004320096.tif 000002
【特許請求の範囲】
【請求項１】
入力された文字を表示する表示部と、文字入力できる複数の文字キーと、十字に配列された複数の領域を有して各領域の操作によって上下左右にカーソル移動できる十字キーとを備えた携帯端末装置において、文字が入力表示された状態で前記十字キーを操作した際に、前記十字キーの各領域に応じて異なる文字を表示することを特徴とする携帯端末装置。
【請求項２】
複数の文字から成る文字グループを各前記文字キーに割り当て、前記文字キーの操作によって選択された文字グループ内の一文字が表示された状態で前記十字キーを操作した際に、前記十字キーの各領域に応じて該文字グループ内の各文字を表示することを特徴とする請求項１に記載の携帯端末装置。
【請求項３】
前記文字キーと前記十字キーとを同時に操作することによって文字グループの選択と文字グループ内の各文字の表示とを同時に行えることを特徴とする請求項２に記載の携帯端末装置。
【請求項４】
ひらがなが入力表示された状態で前記十字キーを押下した際に、前記十字キーの各領域に応じて英字、数字、カタカナ及び漢字に変換して表示することを特徴とする請求項１に記載の携帯端末装置。
【請求項５】
英字、カタカナまたは数字が入力表示された状態で前記十字キーを押下した際に、前記十字キーの各領域に応じて全角文字及び半角文字を表示することを特徴とする請求項１に記載の携帯端末装置。
【請求項６】
英字の文字列が入力表示された状態で前記十字キーを押下した際に、前記十字キーの各領域に応じて大文字、小文字及び先頭大文字の文字列を表示することを特徴とする請求項１に記載の携帯端末装置。
【請求項７】
英字または数字が入力された状態で前記十字キーを押下した際に、ひらがなに変換して表示することを特徴とする請求項１に記載の携帯端末装置。
【請求項８】
前記十字キーの各領域により可能な操作の案内を前記表示部に表示したことを特徴とする請求項１〜請求項７のいずれかに記載の携帯端末装置。
【請求項９】
前記文字キーの設置面の裏面に前記十字キーを設置したことを特徴とする請求項１〜請求項８のいずれかに記載の携帯端末装置。
【請求項１０】
前記文字キーの設置面と該設置面の裏面との２箇所に前記十字キーを設置したことを特徴とする請求項１〜請求項８のいずれかに記載の携帯端末装置。
【請求項１１】
２つの前記十字キーにより異なる操作を可能にしたことを特徴とする請求項１０に記載の携帯端末装置。
【請求項１２】
前記十字キーにより可能な操作をユーザによって設定できることを特徴とする請求項１〜請求項１１のいずれかに記載の携帯端末装置。
【発明の詳細な説明】
【０００１】
【発明の属する技術分野】
本発明は、携帯電話機等の携帯端末装置に関し、特に携帯端末装置のキー操作に関する。
【０００２】
【従来の技術】
従来の携帯電話機等の携帯端末装置は文字や画像を表示する表示部と電話操作等を行う操作キーとを備えている。操作キーは複数の文字が割り当てられた文字キーを有している。文字を入力する際には、予め所定の操作キーを複数回押下して、ひらがな、カタカナ、大文字英字、小文字英字、数字、記号等の入力モードを切り替えるようになっている。
【０００３】
入力モードを数字に切り替えると、数字が割り当てられた各文字キーの操作により電話番号等を入力することができる。入力モードをひらがな或いは英字等に切り替えると、同じ文字キーを複数回押下することによって文字キーに割り当てられた文字グループ内の異なるひらがなや英字を入力することができる。
【０００４】
また、特許文献１には押下可能なスライド機構を筐体の側面に設けた携帯端末装置が開示されている。この携帯端末装置は、スライド機構のスライド操作によって入力候補の文字を表示部に切り替えて表示する。所望の文字が表示部に表示されると、スライド機構を押下することにより該文字を入力できる。これにより、操作キーを削減して隣接した操作キーの誤操作を防止できるようになっている。
【０００５】
【特許文献１】
特開２００２−１６３０６８号公報（第９頁−第１３頁、第１図）
【０００６】
【発明が解決しようとする課題】
しかしながら、上記前者の携帯端末装置によると、入力モードを切り替えるために操作キーを多数回操作する必要があり操作回数が多くなる。また、ひらがなや英字等を入力する際に文字キーを多数回操作する必要があり操作回数が多くなる。これらにより、携帯端末装置の操作性が悪い問題があった。
【０００７】
また、後者の特許文献１に開示された携帯端末装置によると、所望の入力モードや文字が表示部に表示されるまでスライド操作を行う必要がある。このため、所望の文字を入力するまでの操作回数が多くなる問題があった。
【０００８】
本発明は、操作性を向上させることのできる携帯端末装置を提供することを目的とする。
【０００９】
【課題を解決するための手段】
上記目的を達成するために本発明は、入力された文字を表示する表示部と、文字入力できる複数の文字キーと、十字に配列された複数の領域を有して各領域の操作によって上下左右にカーソル移動できる十字キーとを備えた携帯端末装置において、文字が入力表示された状態で前記十字キーを操作した際に、前記十字キーの各領域に応じて異なる文字を表示することを特徴としている。
【００１０】
この構成によると、文字キーの操作によって各文字キーに割り当てられた文字が表示部に表示される。その後、十字キーの各領域を操作すると文字グループ内の異なる文字や、異なる文字種に変換して表示される。表示部に表示された確定前の文字を十字キーの操作により維持して表示し、入力の確定や次の処理への移行を行ってもよい。
【００１１】
例えば、一の文字キーに「あ、い、う、え、お」から成る文字グループが割り当てられ、該文字キーを操作すると「あ」の文字が表示部に表示される。十字キーを操作すると、操作される各領域に応じて「い」、「う」、「え」、「お」の文字に変換して表示部に表示される。また一領域の操作によって「あ」の文字を維持して確定や次の処理に移行する。文字キーと十字キーとを同時に操作して文字グループ内の所望の文字を表示できるようにしてもよい。
【００１２】
また、各文字キーに数字、かな及び英字が割り当てられ、文字キーの操作によって例えば確定前の「きし」の文字が表示部に表示される。十字キーを操作すると、操作される各領域に応じてカタカナ変換、漢字変換が行われる。更に、各領域に応じて「きし」の各文字に対応する英字や数字による英字変換、数字変換が行われて例えば、「ＡＤ」や「２３」の文字が表示部に表示される。一領域の操作によって「きし」の文字を確定して表示してもよい。
【００１３】
入力モードを英字にして確定前の「ＡＤ」の文字を表示部に表示し、十字キーの各領域に応じて各文字に対応するひらがなやカタカナによるひらがな変換、カタカナ変換を行って例えば、「きし」、「キシ」の文字を表示してもよい。
【００１４】
また、文字キーの操作によって英字、カタカナ、数字による確定前の全角文字が表示部に表示される。十字キーの一領域を操作すると、全角文字の半角変換が行われる。他領域の操作によって全角文字を維持して表示し、次の処理に移行してもよい。
【００１５】
また、文字キーの操作によって大文字の英字による確定前の例えば「ＡＤ」の文字が表示部に表示される。十字キーを操作すると、操作される各領域に応じて「ａｄ」、「Ａｄ」のように小文字変換や先頭の文字のみを大文字にする先頭大文字変換が行われる。一領域の操作によって大文字の「ＡＤ」を維持して表示し、次の処理に移行してもよい。また、十字キーの各領域の操作によって確定前の小文字から成る英字を大文字変換や先頭大文字変換してもよく、確定前の先頭大文字から成る英字を大文字変換や小文字変換してもよい。
【００１６】
また本発明は、上記構成の携帯端末装置において、十字キーの各領域により可能な操作の案内を表示部に表示したことを特徴としている。この構成によると、例えば確定前の「あ」の文字が表示されると、十字キーの各領域と「い」、「う」、「え」、「お」の文字との対応が表示部に案内表示れる。
【００１７】
また本発明は、上記構成の携帯端末装置において、前記文字キーの設置面の裏面に前記十字キーを設置してもよく、前記文字キーの設置面と該設置面の裏面との２箇所に前記十字キーを設置してもよい。この構成によると、例えば親指と人差し指により文字キーと裏面の十字キーとを操作できる。裏表の２箇所に十字キーを設置すると、一方でカーソル移動を行い他方で文字変換等を行うことができる。
【００１８】
また本発明は、上記構成の携帯端末装置において、前記十字キーにより可能な操作をユーザによって設定できることを特徴としている。この構成によると、例えば、ひらがなが表示された状態で十字キーによる一の操作によって半角英字に変換できる。
【００１９】
【発明の実施の形態】
以下に本発明の実施形態を図面を参照して説明する。図１、図２は第１実施形態の携帯電話機を示す平面図及び背面図である。携帯電話機１は液晶パネルや有機ＥＬ等から成る表示部２を有し、表示部２の下方に複数の操作キーから成る操作部３が設けられている。
【００２０】
操作部３は電源キー（不図示）、通話キー（不図示）、文字キー８、主十字キー６等を有し、更に筐体の裏面に配される裏面十字キー７を有している。電源キーは携帯電話機１の電源をオンオフする。通話キーは電話の送受話や電子メールの送信を行う。文字キー８は電話番号や電子メール等の文字を入力する。
【００２１】
主十字キー６は十字に配された領域６Ｕ、６Ｒ、６Ｄ、６Ｌ、６Ｃを有している。領域６Ｕ、６Ｒ、６Ｄ、６Ｌを押下すると、表示部２に表示されるカーソルをそれぞれ上、右、下、左に移動してメニュー項目の選択や所望の画面位置への入力等を行うことができる。中央の領域６Ｃを押下すると、項目の選択決定等を指示できる。また、詳細を後述するように、領域６Ｕ、６Ｒ、６Ｄ、６Ｌ、６Ｃによって文字キー８により入力された文字の変換や確定等を行う。
【００２２】
裏面十字キー７は十字に配された領域７Ｕ、７Ｒ、７Ｄ、７Ｌ、７Ｃから成り、それぞれ主十字キー６の領域６Ｕ、６Ｒ、６Ｄ、６Ｌ、６Ｃと同様の操作ができるようになっている。
【００２３】
操作部３の下方にはマイク５が設けられ、送話を行うことができる。表示部２の上方にはスピーカ４が設けられ受話を行うことができる。また、携帯電話機１の上部には送受信を行うアンテナ９が設けられている。
【００２４】
図３は携帯電話機１の構成を示すブロック図である。携帯電話機１内部にはＣＰＵから成る制御部１１が設けられ、携帯電話機１の各部を制御する。制御部１１には通信部１２及び記憶部１３や、前述の操作部３、マイク５、表示部２、スピーカ４が接続されている。
【００２５】
通信部１２はアンテナ９（図１、図２参照）が接続され、アンテナ９を介して通信を行う。記憶部１３はＥＥＰＲＯＭ等から成り、携帯電話機１の動作を制御するプログラムが格納されるとともに、漢字変換用の辞書１４や後述するように数字、ひらがな、英字の対応関係を記憶する変換テーブル１５（図５参照）が格納される。
【００２６】
図４は文字キー８の詳細を示している。文字キー８は電話番号を入力できる「０」〜「９」の数字及び「＊」、「＃」から成る各キーに複数のひらがな及び英字から成る文字グループが割り当てられている。図５は変換テーブル１５の記憶内容を示している。変換テーブル１５には文字キー８に割り当てられた数字、ひらがな、英字の対応関係とともに、主十字キー６及び裏面十字キー７の各領域に割り当てられた文字グループ内の各文字を記憶する。
【００２７】
例えば、図４に示す「か  ＡＢＣ  ２」（以下、「か  ２」のように記載する）の文字キー８を押下すると、入力モードがひらがな入力及びカタカナ入力の際には「か」、「き」、「く」、「け」、「こ」から成る文字グループが選択される。そして、主十字キー６の領域６Ｕ、６Ｒ、６Ｄ、６Ｌ、６Ｃを押下すると、それぞれ「き」、「く」、「け」、「こ」、「か」の文字に変換または維持される。
【００２８】
入力モードが英字入力の際には「Ａ」、「Ｂ」、「Ｃ」から成る文字グループが選択される。そして、主十字キー６の領域６Ｕ、６Ｒ、６Ｄを押下すると、それぞれ「Ａ」、「Ｂ」、「Ｃ」の文字に変換または維持される。また、入力モードが数字入力の際には「２」の文字が入力される。
【００２９】
上記構成の携帯電話機１において、電子メール等の文を文字キー８により入力する際の動作について図６のフローチャートを参照して説明する。また、図７（ａ）〜図７（ｈ）は「季節」と入力する際の表示部２の表示画面を示している。尚、主十字キー６の各領域６Ｕ、６Ｒ、６Ｄ、６Ｌ、６Ｃによる操作を説明するが、裏面十字キー７の各領域７Ｕ、７Ｒ、７Ｄ、７Ｌ、７Ｃによっても同一の操作が可能である。
【００３０】
表示部２に表示されたメニュー項目の選択によって文字入力状態になると、図６の文字入力処理が呼び出される。ここではひらがな入力の入力モードが選択されており、ステップ＃１１では文字キー８による文字入力があるまで待機する。入力モードはひらがな、カタカナ、英字、数字等を選択できる。
【００３１】
文字入力があると図７（ａ）に示すように操作された「か  ２」（図４参照）の文字キー８に割り当てられた文字グループの先頭の文字である「か」が表示部２に表示される。「か」の下線は変換待ちを示している。この時、表示画面２の下部には主十字キー６の各領域６Ｕ、６Ｒ、６Ｄ、６Ｌに割り当てられた文字グループ内の各文字が表示される。表示部２のスペースがあれば領域６Ｃに割り当てられた文字も表示するとよい。
【００３２】
ステップ＃１２では各領域６Ｕ、６Ｒ、６Ｄ、６Ｌ、６Ｃを押下して文字が変換されるまで待機する。領域６Ｕが押下されると、図７（ｂ）に示すように「か」の文字が「き」の文字に変換して表示される。表示部２の下部には領域６Ｕ、６Ｄ、６Ｃの操作により入力完了を指示し、領域６Ｌ、６Ｒの操作によりカーソル移動可能である旨の案内が表示される。
【００３３】
尚、「か  ２」の文字キー８と裏面十字キー７の領域７Ｕとを例えば親指と人差し指とで同時に押下することによりステップ＃１１、＃１２の操作を同時に行うことができる。これにより、片手で迅速な入力ができるようになっている。
【００３４】
ステップ＃１３、＃１４では文字キー８による次の文字入力若しくは領域６Ｕ、６Ｄ、６Ｃの押下による入力完了の指示があったか否かが判断される。領域６Ｕ、６Ｄ、６Ｃ及び文字キー８が押下されない場合はステップ＃１３に戻り入力待ちの状態になる。
【００３５】
尚、領域６Ｒ、６Ｌが押下された場合はカーソル移動してステップ＃１３に戻る。また、図７（ａ）の状態から領域６Ｃを押下すると「か」の文字を維持し、ステップ＃１３に移行して入力待ちになる。図７（ａ）の状態から文字キー８の押下によって「か」の文字を維持して次の文字を表示し、ステップ＃１２に移行して変換待ちにしてもよい。
【００３６】
入力待ち状態から「さ  ３」の文字キー８を押下すると、図７（ｃ）に示すように「きさ」と表示される。「さ」は変換待ちである。主十字キー６の領域６Ｌを押下することにより図７（ｄ）に示すように「きせ」と表示され、入力待ちになる。
【００３７】
上記したように「さ  ３」の文字キー８と領域６Ｌとを同時に押下して「せ」も表示させることができる。この時、領域６Ｌを先に押下した際に図７（ｂ）の状態からカーソル移動しないように、図７（ｂ）の状態から各領域６Ｕ、６Ｒ、６Ｄ、６Ｌ、６Ｃを押下して離したときに入力完了やカーソル移動の指示が行われるようになっている。各領域６Ｕ、６Ｒ、６Ｄ、６Ｌ、６Ｃの長押しやダブルクリックにより各指示を行うようにしてもよい。
【００３８】
次に、「た  ４」の文字キー８を押下すると、図７（ｅ）に示すように「きせた」と表示される。この時、「た」は変換待ちである。主十字キー６の領域６Ｒを押下することにより図７（ｆ）に示すように「きせつ」と表示され、入力待ちになる。
【００３９】
図７（ｆ）の状態から領域６Ｕ、６Ｄ、６Ｃのいずれかが押下されると入力が完了し、ステップ＃１５に移行する。ステップ＃１５では各領域の操作に応じて分岐した処理が行われる。この時、図７（ｇ）に示すように、「きせつ」の文字全体が変換待ちになる。表示部２の下部には領域６Ｕ、６Ｒ、６Ｄ、６Ｌ、６Ｃによってそれぞれカタカナ変換、英字変換、漢字変換、数字変換、ひらがなによる確定を行うことができる旨の案内が表示される。
【００４０】
ステップ＃１５で主十字キー６の領域６Ｃが操作されると、ステップ＃２１に移行する。ステップ＃２１ではひらがなの文字が維持される。入力モードがカタカナ入力、英字入力の場合はひらがなに変換される。そして、ステップ＃２６に移行してひらがなの文字が確定される。
【００４１】
ステップ＃１５で主十字キー６の領域６Ｒが操作されると、ステップ＃２２に移行する。ステップ＃２２ではひらがなの文字が英字に変換される。入力モードがカタカナ入力の場合も同様に英字に変換され、英字入力の場合は英字が維持される。そして、ステップ＃３１に移行する。詳細を後述するように、ステップ＃３１〜＃３５により所望の英字が表示されるとステップ＃２６に移行して英字がが確定される。
【００４２】
ステップ＃１５で主十字キー６の領域６Ｌが操作されると、ステップ＃２３に移行する。ステップ＃２３ではひらがなの文字が数字に変換される。入力モードがカタカナ入力、英字入力の場合も同様に数字に変換される。そして、ステップ＃３４、＃３５を経て所望の数字が表示されるとステップ＃２６に移行して数字が確定される。
【００４３】
ステップ＃１５で主十字キー６の領域６Ｕが操作されると、ステップ＃２４に移行する。ステップ＃２４ではひらがなの文字がカタカナに変換される。入力モードが英字入力の場合も同様にカタカナに変換され、カタカナ入力の場合はカタカナの文字が維持される。そして、ステップ＃３４、＃３５を経て所望のカタカナの文字が表示されるとステップ＃２６に移行してカタカナの文字が確定される。
【００４４】
ステップ＃１５で主十字キー６の領域６Ｄが操作されると、ステップ＃２５に移行する。ステップ＃２５ではひらがなの文字が漢字に変換される。漢字変換の処理は従来から知られているので説明を省略する。入力モードが英字入力やカタカナ入力の場合も同様に漢字に変換される。そして、所望の漢字が表示されるとステップ＃２６に移行して漢字が確定する。
【００４５】
これにより、図７（ｇ）の状態から領域６Ｄを押下して漢字変換を行い、図７（ｈ）に示すように「季節」の文字が表示部２に表示され、ステップ＃２６で確定する。この時、文字表示が確定前の太字表示から細字表示に変わり、文字変換が確定していることが使用者にわかるようになっている。破線による下線等によって確定前の状態がわかるようにしてもよい。
【００４６】
また表示部２の下部に主十字キー６の領域６Ｃを押下すると文字入力が終了し、その他の領域を操作するとカーソルを移動できる旨の案内が表示される。ステップ＃２７、＃２８では次の入力または終了の待機状態となる。文字キー８が操作されるとステップ＃１２に移行して次の文字の変換待ちになる。主十字キー６の領域６Ｃが操作されると文字入力処理を終了する。
【００４７】
次に、ステップ＃３１〜＃３５の動作について、半角英字の「Ｓｅａｓｏｎ」と入力する場合を例に詳細に説明する。図８（ａ）〜図８（ｇ）はこの時の表示画面を示している。入力モードがひらがな入力の場合には、上記と同様にステップ＃１１〜＃１５が行われる。
【００４８】
即ち、「ＳＥＡＳＯＮ」の各文字の文字グループ及び文字グループ内の文字が割り当てられた文字キー８及び主十字キー６の各領域（図４、図５参照）を操作する。この時、表示画面は図８（ａ）〜図８（ｃ）に示すように順に「もすきもへふ」と表示され、領域６Ｕ、６Ｄ、６Ｃのいずれかが操作されると入力完了する。これにより、図８（ｄ）に示すように「もすきもへふ」の文字全体が変換待ちの状態になる。
【００４９】
ステップ＃１５で領域６Ｒの操作によって英字変換が選択されると、ステップ＃２２に移行して図８（ｅ）に示すように全角大文字の「ＳＥＡＳＯＮ」に変換される。この時、表示部２の下部には領域６Ｒ、６Ｌ、６Ｃを操作するとそれぞれ小文字変換、先頭大文字変換、大文字維持の旨の案内が表示される。
【００５０】
ステップ＃３１では領域６Ｒ、６Ｌ、６Ｃの操作によって分岐して大文字小文字変換の処理が行われる。領域６Ｃが押下されると、大文字の「ＳＥＡＳＯＮ」の表示を維持してステップ＃３４に移行する。領域６Ｒが押下されるとステップ＃３２に移行して小文字変換され、ステップ＃３４に移行する。これにより、例えば「ＳＥＡＳＯＮ」の文字は「ｓｅａｓｏｎ」と表示される。
【００５１】
領域６Ｌが押下されるとステップ＃３３に移行して先頭大文字変換され、ステップ＃３４に移行する。これにより、図８（ｆ）に示すように、「ＳＥＡＳＯＮ」の文字は先頭の文字のみ大文字の「Ｓｅａｓｏｎ」と表示される。この時、表示部２の下部には領域６Ｒ、６Ｃを操作するとそれぞれ半角変換、全角維持の旨の案内が表示される。
【００５２】
尚、大文字、小文字、先頭大文字の操作後にステップ＃３１に戻るようにしてもよい。即ち、図９に示すように、先頭大文字に変換して「Ｓｅａｓｏｎ」と表示した状態から領域６Ｒ、６Ｌの操作により大文字変換及び小文字変換を可能にする。そして、領域６Ｃの操作によって大文字小文字変換の完了を指示してステップ＃３４に移行できるようにする。これにより、誤操作のやり直しを行うことができる。
【００５３】
ステップ＃３４では領域６Ｒ、６Ｃの操作によって分岐して全角半角変換の処理が行われる。領域６Ｃが操作されると全角の「Ｓｅａｓｏｎ」の表示を維持し、ステップ＃２６に移行して確定する。領域６Ｒが操作されるとステップ＃３５に移行して半角変換され、ステップ＃２６に移行して確定する。これにより、図８（ｇ）に示すように全角の「Ｓｅａｓｏｎ」の文字は半角の「Ｓｅａｓｏｎ」と表示される。
【００５４】
全角半角変換の操作後にステップ＃３４に戻るようにしてもよい。即ち、図１０に示すように、半角に変換して「Ｓｅａｓｏｎ」と表示した状態から領域６Ｒ、６Ｃの操作により全角変換または全角半角変換の完了を指示してステップ＃２６に移行できるようにする。これにより、誤操作のやり直しを行うことができる。
【００５５】
尚、ステップ＃２３、＃２４により数字変換及びカタカナ変換した場合もステップ＃３４、＃３５で全角維持または半角変換を行うことができる。そして、ステップ＃２６に移行して文字種を確定させることができる。
【００５６】
本実施形態によると、主十字キー６または裏面十字キー７によって文字種の変換を含む文字の変換の動作を行うことができる。即ち、文字キー８の操作によって複数の文字から成る文字グループを選択し、主十字キー６または裏面十字キー７の各領域の操作によって文字グループ内の文字を選択して表示できる。これにより、文字グループ内の文字が表示されるまで操作キーを多数回操作する必要がなく、携帯電話機１の操作性を向上させることができる。
【００５７】
また、主十字キー６または裏面十字キー７の操作により、各領域に応じてひらがな、英字、数字、カタカナ等の異なる文字種への変換等を行って次の処理に移行できる。これにより、特定の操作キーを多数回操作して入力モードの切り替え操作を行う必要がなく、携帯電話機１の操作性を向上させることができる。特に、漢字、ひらがな、カタカナ、数字、英字等が混在した文章の入力時等にその都度入力モードを切り替える必要がなく、文章入力の操作性をより向上させることができる。
【００５８】
尚、上記において、入力モードがひらがな入力の場合について説明しているが、英字入力の場合も同様に操作することができる。例えば、「か  ２」の文字キーに「か」、「き」、「く」、「け」、「こ」から成るひらがなの文字グループ及び「Ａ」、「Ｂ」、「Ｃ」、「ａ」、「ｂ」から成る英字の文字グループを割り当てる。
【００５９】
また、該文字グループを選択した際に主十字キー６の領域６Ｕ、６Ｒ、６Ｄ、６Ｌ、６Ｃにそれぞれ上記各文字を割り当てた変換テーブルを設ける。これにより、例えば図１１（ａ）に示すように英字入力によって「ＡＢＣａｂ」と入力し、ステップ＃２１でひらがな変換すると図１１（ｂ）に示すように「かきくけこ」と表示させることができる。
【００６０】
また本実施形態において、主十字キー６と裏面十字キー７とを設けているがいずれか一方を設けるだけであっても良い。また、主十字キー６と裏面十字キー７とが同じ動作を行うようになっているが、異なる操作を行えるようにしてもよい。
【００６１】
例えば、主十字キー６によりカーソル移動を行い、裏面十字キー７に上記の各変換動作を行えるようにしてもよい。これにより、主十字キー６により従来の十字キーの操作感を保持して文字入力の操作性を向上できる。また、変換待ちの状態から主十字キー６の操作によって変換の対象範囲をカーソル移動により可変し、裏面十字キー７の操作により単漢字変換等を行うことができる。
【００６２】
この時、表示部２の下部に主十字キー６により可能な操作の案内と裏面十字キー７により可能な操作の案内とを表示するとより望ましい。例えば、前述の図７（ｃ）、図８（ｄ）の状態を図１２、図１３のように表示することができる。
【００６３】
また、ユーザによって主十字キー６及び裏面十字キー７により行う動作を設定できるようにしてもよい。図１４はひらがな入力の変換待ちの状態からユーザにより設定された各領域の操作案内の例を示している。これによると、主十字キー６の領域６Ｕの操作によってステップ＃２４、＃３４、＃３５（図６参照）が行われ、カタカナ全角変換してステップ＃２６に移行して確定する。
【００６４】
同様に、領域６Ｒ、６Ｄ、６Ｌ、６Ｃの操作によって数字半角変換、漢字変換、数字全角変換、ひらがな確定が行われる。また、裏面十字キー７の領域７Ｕ、７Ｒ、７Ｄ、７Ｌ、７Ｃによって英字大文字変換、英字小文字変換、カタカナ半角変換、英字先頭大文字変換、ひらがな確定が行われる。これにより、各ユーザに応じた最適な操作性を得ることができる。
【００６５】
次に、図１５、図１６は第２実施形態の携帯電話機を示す正面図及び背面図である。説明の便宜上、前述の図１〜図１４に示す第１実施形態と同様の部分には同一の符号を付している。携帯電話機２１はヒンジ部３３により折り畳み可能な第１、第２筐体３２、３３を有している。第１筐体３２には表示部２が配され、第２筐体３３には操作部３が配されている。
【００６６】
第１筐体３１の裏面には第１、第２筐体３１、３２を折り畳んだ状態でメッセージを表示できる補助表示部２４が設けられている。また、第２筐体３２の裏面には裏面十字キー７が配されている。その他の部分は第１実施形態と同一である。
【００６７】
本実施形態によると、前述の図６に示す文字入力処理を行うことによって第１実施形態と同様の効果を得ることができる。また、裏面十字キー７の操作により補助表示部２４に表示された情報を操作できるようにすると携帯電話機２１を折り畳んだ状態で操作できるのでより望ましい。尚、図１７に示すように、裏面十字キー７を第１筐体３１の裏面に設けても良い。
【００６８】
第１、第２実施形態において携帯電話機について説明しているが、ＰＤＡ等の他の携帯端末装置についても同様の構成によって携帯端末装置の操作性を向上させることができる。
【００６９】
【発明の効果】
本発明によると、十字キーの各領域の操作に応じて異なる文字への変換を行うことができるので、文字入力時の操作回数を削減して携帯端末装置の操作性を向上させることができる。
【００７０】
また本発明によると、携帯端末装置の裏面に十字キーを設けているので、文字キーと十字キーとを片手で同時に操作して操作性をより向上させることができる。
【図面の簡単な説明】
【図１】は、本発明の第１実施形態の携帯電話機を示す平面図である。
【図２】は、本発明の第１実施形態の携帯電話機を示す背面図である。
【図３】は、本発明の第１実施形態の携帯電話機の構成を示すブロック図である。
【図４】は、本発明の第１実施形態の携帯電話機の文字キーを示す平面図である。
【図５】は、本発明の第１実施形態の携帯電話機に記憶される変換テーブルを示す図である。
【図６】は、本発明の第１実施形態の携帯電話機の文字入力処理の動作を示すフローチャート図である。
【図７】は、本発明の第１実施形態の携帯電話機の文字入力処理時の表示画面を示す図である。
【図８】は、本発明の第１実施形態の携帯電話機の文字入力処理時の表示画面を示す図である。
【図９】は、本発明の第１実施形態の携帯電話機の文字入力処理時の表示画面を示す図である。
【図１０】は、本発明の第１実施形態の携帯電話機の文字入力処理時の表示画面を示す図である。
【図１１】は、本発明の第１実施形態の携帯電話機の文字入力処理時の表示画面を示す図である。
【図１２】は、本発明の第１実施形態の携帯電話機の文字入力処理時の表示画面を示す図である。
【図１３】は、本発明の第１実施形態の携帯電話機の文字入力処理時の表示画面を示す図である。
【図１４】は、本発明の第１実施形態の携帯電話機の文字入力処理時の表示画面を示す図である。
【図１５】は、本発明の第２実施形態の携帯電話機を示す平面図である。
【図１６】は、本発明の第２実施形態の携帯電話機を示す背面図である。
【図１７】は、本発明の第２実施形態の携帯電話機の他の態様を示す背面図である。
【符号の説明】
１、２１  携帯電話機
２    表示部
３    操作部
４    スピーカ
５    マイク
６    主十字キー
６Ｕ、６Ｒ、６Ｄ、６Ｌ、６Ｃ、７Ｕ、７Ｒ、７Ｄ、７Ｌ、７Ｃ  領域
７    裏面十字キー
８    文字キー
９    アンテナ
１３    記憶部
１５    変換テーブル
３１    第１筐体
３２    第２筐体
３３    ヒンジ部
【図１】
2004320096.tif 000003
【図２】
2004320096.tif 000004
【図３】
2004320096.tif 000005
【図４】
2004320096.tif 000006
【図５】
2004320096.tif 000007
【図６】
2004320096.tif 000008
【図７】
2004320096.tif 000009
【図８】
2004320096.tif 000010
【図９】
2004320096.tif 000011
【図１０】
2004320096.tif 000012
【図１１】
2004320096.tif 000013
【図１２】
2004320096.tif 000014
【図１３】
2004320096.tif 000015
【図１４】
2004320096.tif 000016
【図１５】
2004320096.tif 000017
【図１６】
2004320096.tif 000018
【図１７】
2004320096.tif 000019